(57)【特許請求の範囲】
【請求項１】
筐体に設けられた第１の開口部と、
前記開口部に対向して設けられ、電源供給装置から電源を供給するプラグが着脱可能な電源コネクタを備えた電子機器装置において、
前記筐体には第２の開口部が設けられ、
前記第２の開口部には、外部装置と通信するための複数種類のインターフェースコネクタのうち少なくとも一つのインターフェースコネクタが支持部材を介して取り付け可能に構成され、
前記複数種類のインターフェースコネクタのうち電源供給端子を有するインターフェースコネクタを取り付ける場合に、前記支持部材が前記電源コネクタを覆い隠すことを特徴とする電子機器装置。
【請求項２】
前記電源供給端子を有するインターフェースコネクタは、パワードＵＳＢ規格に準じたコネクタであることを特徴とする請求項１に記載の電子機器装置。
【発明の詳細な説明】
【技術分野】
【０００１】
この発明は、複数の電力供給系統が存在する電子機器装置に関する。
【背景技術】
【０００２】
従来、ＡＣ電源などの電源供給装置から供給される電力（電源）によって動作する電子機器装置があった。このような電子機器装置は、電源供給装置と電子機器装置との間を接続するための電源ケーブルに設けられた電源供給用プラグが取り付けられる電源コネクタを備えている。
【０００３】
電源コネクタを備えた電子機器装置においては、従来、ホストコンピュータ装置などの外部装置との間におけるデータの送受信に用いるインターフェースを介して、外部装置から供給される電力によって動作するものがあった。このような電子機器装置におけるインターフェースは、たとえば、汎用的なＵＳＢやＩＥＥＥ１３９４規格に準じたコネクタによって実現されていた。
【０００４】
外部装置から供給される電力によって動作する電子機器装置には、電源コネクタを標準装備し、電源供給端子を有するインターフェースコネクタをオプションとして後付けできるものがあった。このような電子機器装置は、電源コネクタに加えて、電源供給端子を有するインターフェースコネクタが設けられる。
【０００５】
また、従来、たとえば、主基板に第１のインターフェースコネクタを設け、副基板に主基板とはデータ受信方式の異なる第２のインターフェースコネクタおよび副基板を主基板に電気的に接続した状態で第１のインターフェースコネクタの端子部を覆う部材を設けた技術があった（たとえば、下記特許文献１を参照。）。
【０００６】
また、従来、たとえば、電子機器装置の筐体の複数の面に複数の開口部を設け、それぞれの開口部に対向する位置に端子を設け、複数の開口部のうち一つの開口部を開口させ他の開口部を遮蔽部によって遮蔽するようにした技術があった（たとえば、下記特許文献２を参照。）。
【先行技術文献】
【特許文献】
【０００７】
【特許文献１】実公平３−１５３１９号公報
【特許文献２】特開２００９−２２４０８８号公報
【発明の概要】
【発明が解決しようとする課題】
【０００８】
しかしながら、上述した従来の技術は、電源コネクタに加えて電源供給端子を有するインターフェースコネクタが設けられ、かつ、当該電源コネクタに対する電源供給用プラグの接続が可能な状態が維持されるため、電源供給端子を有するインターフェースコネクタに対して当該インターフェースコネクタに対応するプラグを接続した状態で、電源コネクタに電源供給用プラグが接続されてしまうという状況が発生しうる。
【０００９】
このような状況において、たとえば、電源コネクタから供給される電力の大きさが、電源供給端子を有するインターフェースコネクタを介して供給される電力の大きさよりも大きくなった場合、インターフェースコネクタを介して接続された外部装置に対して過剰分の電力が逆流し、外部装置や当該外部装置に接続された装置あるいは当該装置が記憶するデータを破損しかねない。
【００１０】
また、上述した特許文献１に記載された技術では、第１のインターフェースコネクタの端子部を覆う部材を、別途、副基板に設けているため、部品点数が増加するという問題があった。また、上述した特許文献２に記載された技術では、遮蔽部が独立した別部品であるため部品点数が増加するという問題があり、さらに、当該遮蔽部が可動する構造であるため、遮蔽部が可動するためのスペースを確保しなくてはならず、電子機器装置が大型化してしまうという問題があった。
【００１１】
この発明は、上述した従来技術による問題点を解消するため、電源供給端子を有するインターフェースコネクタを経由して供給される電力と電源供給装置から電源コネクタを経由して供給される電力とが同時に供給されることを、容易かつ確実に防止することができる電子機器装置を提供することを目的とする。
【課題を解決するための手段】
【００１２】
上述した課題を解決し、目的を達成するため、この発明にかかる電子機器装置は、筐体に設けられた第１の開口部と、前記第１の開口部に対向して設けられ、電源供給装置から電源を供給するプラグが着脱可能な電源コネクタを備えた電子機器装置において、前記筐体には第２の開口部が設けられ、前記第２の開口部には、外部装置と通信するための複数種類のインターフェースコネクタのうち少なくとも一つのインターフェースコネクタが支持部材を介して取り付け可能に構成され、前記複数種類のインターフェースコネクタのうち電源供給端子を有するインターフェースコネクタを取り付ける場合に、前記支持部材が前記電源コネクタを覆い隠すことを特徴とする。
【００１３】
この発明によれば、電源供給端子を有するインターフェースコネクタを電子機器装置に装着することによって電源コネクタに対する電源供給用プラグの接続を防止することができる。
【００１４】
また、この発明にかかる電子機器装置は、上記の発明において、前記電源供給端子を有するインターフェースコネクタが、パワードＵＳＢ規格に準じたコネクタであることを特徴とする。
【００１５】
この発明によれば、電気機器が外部装置に接続されたシステムにおいて、電源の供給のみをおこなうための電源コードを用いることなく、供給電力に余裕があるパワードＵＳＢケーブルを通じて当該外部機器から電気機器に給電することができる。
【発明の効果】
【００１６】
この発明にかかる電子機器装置によれば、電子機器装置に対してインターフェースコネクタを経由した電源と電源供給装置からの電源とが同時に供給されることを、容易かつ確実に防止することができるという効果を奏する。
【図面の簡単な説明】
【００１７】
【図１】この発明にかかる実施の形態の電子機器装置の構成を示す説明図（その１）である。
【図２】この発明にかかる実施の形態の電子機器装置の構成を示す説明図（その２）である。
【図３】この発明にかかる実施の形態の電子機器装置の構成を示す説明図（その３）である。
【図４】従来の電子機器装置の構成を示す説明図（その１）である。
【図５】従来の電子機器装置の構成を示す説明図（その２）である。
【発明を実施するための形態】
【００１８】
以下に添付図面を参照して、この発明にかかる電子機器装置の好適な実施の形態を詳細に説明する。
【００１９】
まず、この発明にかかる実施の形態の電子機器装置の構成について説明する。図１は、この発明にかかる実施の形態の電子機器装置の構成を示す説明図である。図１においては、この発明にかかる実施の形態の電子機器装置の下方側からの斜視状態を示している。
【００２０】
図１において、この発明にかかる実施の形態の電子機器装置１００は、筐体１０１を備えている。筐体１０１は、前後左右および上下に６つの面を備えた略長方体（直方体）形状をなしている。筐体１０１の内側には、電子機器装置本体（図示を省略する）が設けられている。
【００２１】
電子機器装置本体は、電子機器装置１００が備える各部を制御する制御部を備えている。制御部は、ＣＰＵおよびＲＯＭやＲＡＭなどのメモリなどによって構成されるマイクロコンピュータによって実現することができる。ＣＰＵやメモリなどによって構成されるマイクロコンピュータおよび当該マイクロコンピュータによる電子機器装置１００の制御については、公知の各種の技術を用いて容易に実現可能であるため説明を省略する。
【００２２】
また、電子機器装置本体は、外部装置（図示を省略する）との間でコマンドやデータの送受信をおこなう通信用のインターフェースコネクタ（通信用コネクタ）１０２（１０２ａ、１０２ｂ）を備えている。筐体１０１には、各通信用のインターフェースコネクタ１０２（１０２ａ、１０２ｂ）に応じた位置に、それぞれ開口部１０３（１０３ａ、１０３ｂ）が設けられている。各通信用のインターフェースコネクタ１０２（１０２ａ、１０２ｂ）に対するプラグの着脱は、それぞれに対応する開口部１０３（１０３ａ、１０３ｂ）を介しておこなうことが可能とされている。
【００２３】
電子機器装置本体が備えるＣＰＵは、通信用のインターフェースコネクタ１０２（１０２ａ、１０２ｂ）を介して受信したコマンドやデータに基づいて、ＲＡＭをワークエリアとして利用しながら、ＲＯＭに格納された各種のプログラムを実行することにより、電子機器装置１００が備える各部を制御する。また、電子機器装置本体が備えるＣＰＵは、各種のプログラムを実行した結果得られた所定のデータを、通信用のインターフェースコネクタ１０２（１０２ａ、１０２ｂ）を介して外部装置に出力することができる。
【００２４】
電子機器装置１００は、電源コネクタ（図２における符号２０１を参照）を備えている。電源コネクタ２０１に対しては、電源供給装置から電源（電力）を供給する電源供給用プラグ（図示を省略する）が取り外し可能に取り付けられる。電源コネクタに対する電源供給用プラグの着脱は、筐体１０１に設けられた第１の開口部（図２における符号２０２を参照）を介しておこなうことが可能とされている。電源コネクタは、第１の開口部に対向して設けられている。電子機器装置１００は、電源コネクタに取り付けられた電源供給用プラグを介して電源供給装置（図示を省略する）から供給される電力によって動作することにより、セルフパワードデバイスとして動作する。
【００２５】
また、電子機器装置１００は、インターフェースコネクタ１０４を備えている。インターフェースコネクタ１０４は、外部装置と通信する際に用いられる。電子機器装置１００が備えるインターフェースコネクタ１０４としては、公知の各種のインターフェースコネクタを用いることが可能であり、たとえば、電源供給端子を有するインターフェースコネクタを用いることができる。インターフェースコネクタ１０４は、支持部材１０６によって支持されている。
【００２６】
インターフェースコネクタ１０４は、たとえば、電子機器装置１００をバスパワードデバイスとし、当該電子機器装置１００のバスパワー動作を可能とするインターフェースコネクタによって実現することができる。具体的には、インターフェースコネクタ１０４は、たとえば、パワードＵＳＢ規格に準じたコネクタによって実現することができる。
【００２７】
インターフェースコネクタ１０４をパワードＵＳＢ規格に準じたコネクタによって実現することにより、汎用的なＵＳＢやＩＥＥＥ１３９４規格に準じたコネクタを介して電子機器装置１００に電力を供給するよりも、電子機器装置１００に対して高い電力（たとえば、１２Ｖ、２４Ｖなど）を供給することができる。
【００２８】
バスパワー動作するバスパワードデバイスは配線を簡素化することができるというメリットがある一方で、汎用的なＵＳＢやＩＥＥＥ１３９４規格に準じたコネクタを介して供給できる電力は限られているというデメリットがあった。たとえば、電子機器装置１００が、ＰＯＳ（Ｐｏｉｎｔ  ｏｆ  Ｓａｌｅｓ）端末装置をホストコンピュータとして当該ホストコンピュータに接続されているプリンタ装置である場合、レシートおよびジャーナルを並行してプリントする際など一時的に高い電力を必要とする状況が想定される。
【００２９】
電子機器装置１００が、汎用的なＵＳＢやＩＥＥＥ１３９４規格に準じたコネクタを介して供給される電力によって動作する環境にある場合、上記のような状況においては、電力機器装置が電力不足で動作しなくなる不具合が想定される。これに対し、インターフェースコネクタ１０４をパワードＵＳＢ規格に準じたコネクタによって実現することにより、電力不足による電力機器装置の不動作を生じさせることなく、配線を簡素化することができる。
【００３０】
図２および図３は、この発明にかかる実施の形態の電子機器装置１００の構成を示す説明図である。図２および図３においては、この発明にかかる実施の形態の電子機器装置１００の下方側からの斜視状態を示している。さらに、図２および図３は、この発明にかかる実施の形態の電子機器装置１００における、電子機器装置本体からインターフェースコネクタ１０４を取り外した状態を示している。
【００３１】
図２および図３において、インターフェースコネクタ１０４は、電子機器装置本体に対して着脱可能に設けられている。インターフェースコネクタ１０４は、たとえば、電子機器装置１００が接続されるホストコンピュータ装置などの外部装置が、汎用的なＵＳＢやＩＥＥＥ１３９４規格に準じたコネクタを介して供給される電力よりも大きな電力を供給する能力を備えている場合に電子機器装置本体に取り付けられる。
【００３２】
インターフェースコネクタ１０４は、インターフェースボード２０３や、支持部材１０６などとともにユニットを構成している。電子機器装置１００においては、電子機器装置本体が備える拡張バスにインターフェースボード２０３を接続することによって、インターフェースコネクタ１０４を介した電力の供給が可能となる。
【００３３】
支持部材１０６は、鉄やアルミニウム製の板状部材によって実現することができる。インターフェースコネクタ１０４は、筐体１０１に設けられた第２の開口部２０４を介してインターフェースボード２０３が筐体１０１内に挿入された状態で、かつ、インターフェースコネクタ１０４および支持部材１０６によって第２の開口部２０４を塞ぐようにして電子機器装置本体に取り付けられる。具体的には、支持部材１０６は、たとえば支持部材１０６を介して筐体１０１にネジを螺合することによって電子機器装置本体に取り付けられる。インターフェースコネクタ１０４は、支持部材１０６を筐体１０１に取り付けることによって、電子機器装置本体に取り付けられる。
【００３４】
支持部材１０６は、筐体１０１に取り付けられた状態において、第２の開口部２０４を塞ぐとともに電源コネクタ２０１を覆い隠すように、インターフェースコネクタ１０４から電源コネクタ２０１側に延出した形状をなしている。これによって、支持部材１０６を筐体１０１に取り付けることによって電源コネクタ２０１を覆い隠し、インターフェースコネクタ１０４を取り付けた状態における、電源供給用プラグの電源コネクタ２０１に対する接続を防止することができる。
【００３５】
また、支持部材１０６は、筐体１０１に取り付けられた状態において、各通信用のインターフェースコネクタ１０２（１０２ａ、１０２ｂ）に対するプラグの着脱を可能とする形状をなしている。具体的には、支持部材１０６は、電源コネクタ２０１とインターフェースコネクタ１０４との間に位置する通信用のインターフェースコネクタ１０２（１０２ａ）に対するプラグの着脱を可能とする開口部２０５を備えている。これによって、電源供給端子を有するインターフェースコネクタ１０４を電子機器装置１００に装着した場合にも、通信用のインターフェースコネクタ１０２（１０２ａ）に対して、当該通信用のインターフェースコネクタ１０２（１０２ａ）に対応するプラグを接続することができる。
【００３６】
また、具体的には、支持部材１０６において、インターフェースコネクタ１０４から電源コネクタ２０１側に延出する部分（カバー部）の当該延出方向における寸法は、電源コネクタ２０１よりもインターフェースコネクタ１０４から離間する位置に位置する通信用のインターフェースコネクタ１０２（１０２ｂ）をカバー部によって覆い隠さないような寸法となるように設定されている。これによって、電源供給端子を有するインターフェースコネクタ１０４を電子機器装置１００に装着した場合にも、通信用のインターフェースコネクタ１０２（１０２ｂ）に対して、当該通信用のインターフェースコネクタ１０２（１０２ｂ）に対応するプラグを接続することができる。
【００３７】
支持部材１０６は、カバー部の延出方向における寸法の設定によって、通信用のインターフェースコネクタ１０２（１０２ｂ）に対するプラグの着脱を可能とするものに限らない。支持部材１０６は、たとえば、カバー部の延出方向における寸法を、電源コネクタ２０１よりもインターフェースコネクタ１０４から離間する位置に位置する通信用のインターフェースコネクタ１０２（１０２ｂ）をカバー部によって覆い隠す寸法とするとともに、電源コネクタ２０１とインターフェースコネクタ１０４との間に位置する通信用のインターフェースコネクタ１０２（１０２ａ）に対するプラグの着脱を可能とする開口部２０５および当該開口部２０５と同様の開口部（図示を省略する）を設けた形状としてもよい。
【００３８】
支持部材１０６には、支持部材１０６が筐体１０１に取り付けられた状態において、通信用のインターフェースコネクタ１０２を識別する標記を設けてもよい。標記は、図示を省略するが、たとえば、各通信用のインターフェースに接続する各種のプラグの種類を識別する情報とすることができる。あるいは、標記は、たとえば、各通信用のインターフェースに接続される外部装置の名称であってもよい。
【００３９】
標記は、図形やマークであってもよいし、文字などであってもよい。支持部材１０６に標記を設けることによって、支持部材１０６によって通信用のインターフェース１０２（１０２ａ、１０２ｂ）の周囲を覆い隠した場合にも、電子機器装置１００の機能を阻害することを抑制し、各通信用のインターフェース（１０２ａ、１０２ｂ）に対して該当するプラグを容易かつ確実に接続することができる。
【００４０】
図４および図５は、従来の電子機器装置の構成を示す説明図である。図４および図５においては、従来の電子機器装置４００の下方側からの斜視状態を示しており、電子機器装置１００と同一部分については同一符号を用いて説明する。また、図４および図５においては、電子機器装置本体に対して着脱可能なインターフェースコネクタ（汎用的なＵＳＢやＩＥＥＥ１３９４規格に準じたコネクタ）を備えた従来の電子機器装置を示している。
【００４１】
汎用的なＵＳＢやＩＥＥＥ１３９４規格に準じたコネクタは、パワードＵＳＢ規格に準じたインターフェースコネクタ１０４に代えることが可能であるため、図４および図５においては、汎用的なＵＳＢやＩＥＥＥ１３９４規格に準じたコネクタが取り付けられた従来の電子機器装置を例にして説明する。
【００４２】
図４および図５において、従来の電子機器装置４００が備えるインターフェースコネクタ４０１は、支持部材４０２によって支持されている。支持部材４０２は、第２の開口部２０４と同等の大きさの板状部材からなる。これにより、支持部材４０２を筐体１０１に取り付け、インターフェースコネクタ４０１を電子機器装置本体に取り付けることによって、第２の開口部２０４を支持部材４０２によって覆い隠すことができる。
【００４３】
従来の電子機器装置４００では、支持部材４０２を筐体１０１に取り付け、インターフェースコネクタ４０１を電子機器装置本体に取り付けた状態において、第２の開口部２０４の周囲に配置されている通信用のインターフェースコネクタ１０２（１０２ａ、１０２ｂ）や電源コネクタ２０１は、インターフェースコネクタ４０１を取り付ける前と同様に、それぞれ該当するプラグを接続することが可能な状態とされている。
【００４４】
このため、従来の電子機器装置４００においては、インターフェースコネクタ４０１に対して当該インターフェースコネクタ４０１に対応するプラグを接続した状態で、電源コネクタ２０１に電源供給用プラグを接続することが可能となっていた。インターフェースコネクタ４０１は、パワードＵＳＢ規格に準じたインターフェースコネクタ１０４に代えることが可能であるため、従来の電子機器装置４００の構造を採用した場合、インターフェースコネクタ１０４に対して当該インターフェースコネクタ１０４に対応するプラグを接続した状態で、電源コネクタ２０１に電源供給用プラグを接続することが可能となっていた。
【００４５】
このため、従来の電子機器装置４００では、パワードＵＳＢ規格に準じたインターフェースコネクタ１０４に対して当該インターフェースコネクタ１０４に対応するプラグを接続した状態で、電源コネクタ２０１に電源供給用プラグを接続すると、電子機器装置１００に対して２系統で電力の供給がおこなわれる。電子機器装置１００に対して２系統で電力の供給がおこなわれている状況において、電源コネクタ２０１を介して供給される電力とインターフェースコネクタ１０４を介して供給される電力との大きさが異なった場合、いずれか一方の系統における電力の供給方向が逆転しかねない。
【００４６】
また、電子機器装置１００に対して２系統で電力の供給がおこなわれている状況において、インターフェースコネクタ１０４を介する系統における電力の供給方向が逆転した場合、インターフェースコネクタ１０４を介して接続された外部装置に対して過剰分の電力が逆流し、外部装置や当該外部装置に接続された装置あるいは当該装置が記憶するデータが破損しかねない。
【００４７】
これに対し、この実施の形態の電子機器装置１００は、インターフェースコネクタ１０４を電子機器装置１００に装着した状態においては、電源コネクタ２０１が支持部材１０６によって覆い隠された状態とされる。この状態においては、電源コネクタ２０１に対する電源供給用プラグの接続が不可能となるため、電子機器装置１００に対してインターフェースコネクタ１０４を経由した電源と電源供給装置からの電源とが同時に供給されることを防止することができる。
【００４８】
また、この実施の形態の電子機器装置１００は、インターフェースコネクタ１０４を電子機器装置１００に装着することによって、支持部材１０６によって電源コネクタ２０１を覆い隠すことができる。これによって、電子機器装置１００に対してインターフェースコネクタ１０４を経由した電源と電源供給装置からの電源とが同時に供給されることを容易に防止することができる。
【００４９】
また、この実施の形態の電子機器装置１００は、電源コネクタ２０１を覆い隠すカバー部を支持部材１０６が一体的に備えるため、インターフェースコネクタ１０４を電子機器装置１００に装着することによって、支持部材１０６によって電源コネクタ２０１を確実に覆い隠すことができる。これによって、電子機器装置１００に対してインターフェースコネクタ１０４を経由した電力（電源）と電源供給装置からの電力（電源）とが同時に供給されることを確実に防止することができる。
【００５０】
以上説明したように、この実施の形態の電子機器装置１００は、筐体１０１に設けられた第１の開口部２０２と、第１の開口部２０２に対向して設けられ、電源供給装置から電源を供給するプラグが着脱可能な電源コネクタ２０１を備えた電子機器装置１００において、筐体１０１には第２の開口部２０４が設けられ、第２の開口部２０４には、外部装置と通信するための複数種類のインターフェースコネクタのうち少なくとも一つのインターフェースコネクタ１０４が支持部材１０６を介して取り付け可能に構成され、複数種類のインターフェースコネクタのうち電源供給端子を有するインターフェースコネクタ１０４を取り付ける場合に、支持部材１０６が電源コネクタ２０１を覆い隠すことを特徴としている。
【００５１】
この実施の形態の電子機器装置１００によれば、電源供給端子を有するインターフェースコネクタ１０４を電子機器装置１００に装着することによって、支持部材１０６によって電源コネクタ２０１を覆い隠すことができる。これにより、電源供給端子を有するインターフェースコネクタ１０４を電子機器装置１００に装着した状態においては、電源コネクタ２０１に対する電源供給用プラグの接続を防止することができる。これによって、インターフェースコネクタ１０４を経由して供給される電力と電源供給装置を介して供給される電力とが、電子機器装置１００に対して同時に供給されることを、容易かつ確実に防止することができる。
【００５２】
また、この実施の形態の電子機器装置１００によれば、電源供給端子を有するインターフェースコネクタ１０４が、パワードＵＳＢ規格に準じたコネクタであることを特徴としている。この実施の形態の電子機器装置１００によれば、電気機器が外部装置に接続されたシステムにおいて、電源の供給のみをおこなうための電源コードを用いることなく、供給電力に余裕があるパワードＵＳＢケーブルを通じて当該外部機器から電気機器に給電することができる。これによって、電力不足を生じることなく電源コードを不要とし、電気機器の設置の自由度の向上を図ることができる。
【産業上の利用可能性】
【００５３】
以上のように、この発明にかかる電子機器装置は、複数の電力供給系統が存在する電子機器装置に有用であり、特に、２系統目以降の電力供給系統を任意に追加可能な電子機器装置に適している。
【符号の説明】
【００５４】
１００  電子機器装置
１０１  筐体
１０４  インターフェースコネクタ
１０６  支持部材
２０１  電源コネクタ
２０２  第１の開口部
２０４  第２の開口部
【図１】
0005395681.tif 000002
【図２】
0005395681.tif 000003
【図３】
0005395681.tif 000004
【図４】
0005395681.tif 000005
【図５】
0005395681.tif 000006